(57)【要約】【課題】吸気口において、屋外で強い風が吹いたときでも、外風圧により開閉状態を安定せるシャッターを有した吸気口を提供する。【解決手段】外風に影響されることなく電気的に回転型電動シャッター５をステッピングモーター６により開または閉状態にし、また回転型電動シャッター５の室内と屋外との空気の圧力差を検出する差圧センサー１１を設け、差圧センサー１１の値により自動的に回転型電動シャッター５を開または閉状態にして、屋外の空気を室内に供給する吸気口を提供することができる。【選択図】図１
2009168324.tif 000002
【特許請求の範囲】
【請求項１】
固定された扇状の固定型ルーバー羽と回転することにより外気を取り入れることができる扇状の回転型ルーバーとその回転動作を行うステッピングモーターと前記ステッピングモーターを制御する制御手段を設けたことを特徴とする吸気口。
【請求項２】
回転型電動シャッターの室内と屋外との空気の圧力差を検出する差圧センサーを設け、差圧センサーの値により自動的に前記回転型電動シャッターを開または閉状態にすることを特徴とした請求項１記載の吸気口。
【請求項３】
回転型電動シャッターの開または閉の状態に対応して電源が供給される端子台を設け、前記回転型電動シャッターの開のときは電源を供給し、前記回転型電動シャッターの閉のときは電源が遮断される端子台を備え、前記端子台に換気装置を接続することにより前記回転型電動シャッターの開または閉に連動させて前記換気装置を制御することを特徴とした請求項１または２記載の吸気口。
【請求項４】
吸気口に室内側の温度を検出する室内温度センサーを設け、室内温度が所定の温度以上になると回転型電動シャッターを開にし、室内温度が所定の温度以下になると回転型電動シャッターを閉にすることを特徴とした請求項２または３記載の吸気口。
【請求項５】
吸気口に人感センサーを設け、人を検出することにより回転型電動シャッターを開にし、人を非検出すると閉にすることを特徴とした請求項２または３記載の吸気口。
【請求項６】
吸気口に室内側のアンモニアを検出できる位置に室内アンモニアセンサーを設け、所定のアンモニアの濃度以上になると回転型電動シャッターを開にし、所定のアンモニアの濃度以下になると閉にすることを特徴とした請求項２または３記載の吸気口。
【請求項７】
吸気口に室内側の煙を検出できる位置に室内煙センサーを設け、所定の煙の濃度以上になると回転型電動シャッターを開にし、所定の煙の濃度以下になると閉にすることを特徴とした請求項２または３記載の吸気口。
【請求項８】
吸気口に室内側の二酸化炭素を検出できる位置に室内二酸化炭素センサーを設け、所定の二酸化炭素の濃度以上になると回転型電動シャッターを開にし、所定の二酸化炭素の濃度以下になる閉にすることを特徴とした請求項２または３記載の吸気口。
【請求項９】
吸気口に室内側の一酸化炭素を検出できる位置に室内一酸化炭素センサーを設け、所定の一酸化炭素の濃度以上になると回転型電動シャッターを開にし、所定の一酸化炭素の濃度以下になると閉にすることを特徴とした請求項２または３記載の吸気口。
【請求項１０】
吸気口に室内側のホルムアルデヒドを検出できる位置に室内ＶＯＣセンサーを設け、所定のホルムアルデヒドの濃度以上になると回転型電動シャッターを開にし、所定のホルムアルデヒドの濃度以下になると閉にすることができることを特徴とした請求項２または３記載の吸気口。
【請求項１１】
吸気口に室内側の粉塵を検出できる位置に室内粉塵センサーを設け、所定の粉塵以上の濃度になると回転型電動シャッターを開にし、所定の粉塵濃度以下になると閉にすることを特徴とした請求項２または３記載の吸気口。
【請求項１２】
吸気口に室内側の湿度を検出できる位置に室内湿度センサーを設け、所定の湿度以上になると回転型電動シャッターを開にし、所定の湿度以下になると閉にすることを特徴とした請求項２または３記載の吸気口。
【請求項１３】
吸気口に室内側の可燃性ガスを検出できる位置に室内可燃性ガスセンサーを設け、所定の可燃性ガス濃度以上になると回転型電動シャッターを開にし、所定の可燃性ガス濃度以下になると閉にすることを特徴とした請求項２または３記載の吸気口。
【請求項１４】
吸気口に屋外側の温度を検出できる位置に屋外温度センサーを設け、屋外温度が所定の温度以上になると回転型電動シャッターを開閉ことを特徴とした請求項２記載の吸気口。
【請求項１５】
吸気口に屋外側のアンモニアを検出できる位置に屋外アンモニアセンサーを設け、屋外のアンモニア濃度が所定のアンモニアの濃度以上になると回転型電動シャッターを閉にし、所定のアンモニアの濃度以下になると開することを特徴とした請求項２または３記載の吸気口。
【請求項１６】
吸気口に屋外側の煙を検出できる位置に煙を検出する屋外煙センサーを設け、屋外の煙濃度が所定の煙濃度以上になると回転型電動シャッターを閉にし、所定の煙濃度以下になると開することを特徴とした請求項２または３記載の吸気口。
【請求項１７】
吸気口に屋外側の二酸化炭素を検出できる位置に二酸化炭素を検出する屋外二酸化炭素センサーを設け、屋外の二酸化炭素濃度が所定の二酸化炭素の濃度以上になると回転型電動シャッターを閉にし、所定の二酸化炭素の濃度以下になると開することを特徴とした請求項２または３記載の吸気口。
【請求項１８】
吸気口に屋外側の一酸化炭素を検出できる位置に一酸化炭素を検出する屋外一酸化炭素センサーを設け、屋外の一酸化炭素濃度が所定の一酸化炭素濃度以上になると回転型電動シャッターを閉にし、所定の一酸化炭素濃度以下になると開することを特徴とした請求項２または３記載の吸気口。
【請求項１９】
吸気口に屋外側のホルムアルデヒドを検出できる位置にホルムアルデヒドを検出する屋外ＶＯＣセンサーを設け、屋外のホルムアルデヒド濃度が所定のホルムアルデヒドの濃度以上になると回転型電動シャッターを閉にし、所定のホルムアルデヒドの濃度以下になると開することを特徴とした請求項２または３記載の吸気口。
【請求項２０】
吸気口に屋外側の粉塵を検出できる位置に粉塵を検出する屋外粉塵センサーを設け、屋外の粉塵濃度が所定の粉塵以上の濃度になると回転型電動シャッターを閉にし、所定の粉塵濃度以下になると開することを特徴とした請求項２または３記載の吸気口。
【請求項２１】
吸気口に屋外側の湿度を検出できる位置に湿度を検出する屋外湿度センサーを設け、屋外の湿度が所定の湿度以上になると回転型電動シャッターを閉にし、所定の湿度以下になると開することを特徴とした請求項２または３記載の吸気口。
【請求項２２】
吸気口に屋外側の可燃性ガスを検出できる位置に可燃性ガスを検出する屋外可燃性ガスセンサーを設け、屋外の可燃性ガスが所定の可燃性ガス濃度以上になると回転型電動シャッターを閉にし、所定の可燃性ガス濃度以下になると開することをとした請求項２または３記載の吸気口。
【発明の詳細な説明】
【技術分野】
【０００１】
本発明は、室内の換気を行う吸気口に関するものである。
【背景技術】
【０００２】
従来、この種の吸気口は、住宅の壁面を貫通して、室内の空気を排出する換気装置の建物室内の自然吸気口に広く用いられている。この吸気口の開口部は手動で行っており季節や気温の変化に応じて開口部を調整していた。また、気温の変化に応じて自動開閉する換気装置としては、自動開閉機能が形状記憶合金からなるコイルスプリングを備えたもので、気温の変化に応じて自動的に開口率が変動するものが知られているが気温により開口状態が決まり、換気装置との連動とは無関係の動作になっている（例えば、特許文献１参照）。
【０００３】
以下、その吸気口について図２３を参照しながら説明する。
【０００４】
壁面１０１の室内側と室外側を貫通する円筒形のダクト１０２に吸気枠１０３を設置し、前記吸気枠１０３の上下には開閉羽１０４を取り付けた回転軸１０５が取り付いている。前記回転軸１０５の下部には周囲温度により前記開閉羽１０４を開閉する形状記憶合金性コイルスプリング１０６と上部には手動で開閉羽１０４を開閉ノブ１０７が接続されており前記開閉ノブを左右に移動することにより前記開閉羽１０４を手動で開閉できる構造となっている。
【特許文献１】特開平１０−０４７７４９号公報
【発明の開示】
【発明が解決しようとする課題】
【０００５】
しかしながらこのような吸気口では、屋外で強い風が吹いたときは、外風圧により開閉状態が安定しないという課題があった。
【０００６】
本発明は、上記課題を解決するもので、外風に影響されることなく開閉状態を安定させて屋外の空気を室内に供給する吸気口を提供することを目的としている。
【０００７】
また、従来の吸気口では、換気装置と連動してシャッターの開閉を行うときは、換気装置からの信号によりシャッターの開閉動作を行うため、電線などの配線工事か必要とされていた。
【０００８】
本発明は、このような従来の課題を解決するものであり、換気装置と連動させる電気配線を用いなくても換気装置の動作に連動させて吸気口の開閉を行う吸気口を提供することを目的とする。
【０００９】
また、従来の吸気口では、回転型電動シャッターが開または閉状態と無関係に換気装置は運転または停止しており、回転型電動シャッターが開状態のときに換気装置が運転し、回転型電動シャッターが閉状態のときに換気装置が停止することが要求されていた。
【００１０】
本発明は、このような従来の課題を解決するものであり、吸気口に設けた端子台から、吸気口が開状態のときは、商用電源を出力し、吸気口が閉状態のときは、商用電源を遮断することができる吸気口を提供することを目的とする。
【００１１】
課題（要求内容）と目的が交互に書かれていますが、目的が請求項の構成を記載しているため具体的に書きすぎています。上記朱書き部分を参考に以下を修正してください。
【００１２】
また、従来の吸気口では、吸気口近くの室内側温度を検出し、所定の温度で回転型電動シャッターが開または閉状態となり、開または閉状態に連動して換気装置が運転または停止することが要求されている。
【００１３】
本発明は、このような従来の課題を解決するものであり、室内側温度により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００１４】
また、従来の吸気口では、吸気口に人感センサーを設け室内に在室している人を検出すると回転型電動シャッターが開または閉状態となり、開または閉状態に連動して換気装置が運転または停止することが要求されている。
【００１５】
本発明は、このような従来の課題を解決するものであり、人の在室有無により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００１６】
また、従来の吸気口では、吸気口近くの室内側のアンモニア濃度を検出し、所定のアンモニア濃度になると回転型電動シャッターが開または閉状態になり、開または閉状態に連動して換気装置が運転または停止することが要求されている。
【００１７】
本発明は、このような従来の課題を解決するものであり、室内側のアンモニア濃度により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００１８】
また、従来の吸気口では、吸気口近くの室内側の煙量を検出し、所定の煙量で回転型電動シャッターが開または閉状態になり、開または閉状態に連動して換気装置が運転または停止することが要求されている。
【００１９】
本発明は、このような従来の課題を解決するものであり、室内側の煙量により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００２０】
また、従来の吸気口では、吸気口近くの室内側の二酸化炭素濃度を検出し、所定の二酸化炭素濃度で回転型電動シャッターが開または閉状態になり、開または閉状態に連動して換気装置が運転または停止することが要求されている。
【００２１】
本発明は、このような従来の課題を解決するものであり、室内側の二酸化炭素濃度吸気口が開状態のときは、商用電源を出力し、吸気口が閉状態のときは、商用電源を遮断することができる吸気口を提供することを目的とする。
【００２２】
また、従来の吸気口では、吸気口近くの室内側の一酸化炭素濃度を検出し、所定の一酸化炭素濃度で回転型電動シャッターが開または閉状態になり、開または閉状態に連動して換気装置が運転または停止することが要求されている。
【００２３】
本発明は、このような従来の課題を解決するものであり、室内側の一酸化炭素濃度により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００２４】
また、従来の吸気口では、吸気口近くの室内側のホルムアルデヒドを検出し、所定のホルムアルデヒドの量で回転型電動シャッターが開または閉状態になり、開または閉状態に連動して換気装置が運転または停止することが要求されている。
【００２５】
本発明は、このような従来の課題を解決するものであり、室内側のホルムアルデヒドの量により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００２６】
また、従来の吸気口では、吸気口近くの室内側の粉塵量を検出し、所定の粉塵量で回転型電動シャッターが開または閉状態になり、開または閉状態に連動して換気装置が運転または停止することが要求されている。
【００２７】
本発明は、このような従来の課題を解決するものであり、室内側の粉塵量により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００２８】
また、従来の吸気口では、吸気口近くの室内側の湿度を検出し、所定の湿度で回転型電動シャッターが開または閉状態になり、開または閉状態に連動して換気装置が運転または停止することが要求されている。
【００２９】
本発明は、このような従来の課題を解決するものであり、室内側の湿度により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００３０】
また、従来の吸気口では、吸気口近くの室内側の可燃性ガスを検出し、所定の可燃性ガス濃度で回転型電動シャッターが開または閉状態になり、開または閉状態に連動して換気装置が運転または停止することが要求されている。
【００３１】
本発明は、このような従来の課題を解決するものであり、室内側の可燃性ガス濃度により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００３２】
また、従来の吸気口では、吸気口近くの屋外側温度を検出し、所定の温度で回転型電動シャッターが開または閉状態になり、開または閉状態に連動して換気装置が停止または運転することが要求されている。
【００３３】
本発明は、このような従来の課題を解決するものであり、屋外側の温度により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００３４】
また、従来の吸気口では、吸気口近くの屋外側のアンモニア濃度を検出し、所定のアンモニア濃度で回転型電動シャッターが開または閉状態になり、開または閉状態に連動して換気装置が運転または停止することが要求されている。
【００３５】
本発明は、このような従来の課題を解決するものであり、屋外側のアンモニア濃度により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００３６】
また、従来の吸気口では、吸気口の屋外側の煙量を検出し、所定の煙量で回転型電動シャッターが開または閉状態になり、開または閉状態に連動して換気装置が運転または停止することが要求されている。
【００３７】
本発明は、このような従来の課題を解決するものであり、屋外側の煙量により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００３８】
また、従来の吸気口では、吸気口の屋外側の二酸化炭素濃度を検出し、所定の二酸化炭素濃度で回転型電動シャッターが開または閉状態になり、開または閉状態に連動して換気装置が運転または停止することが要求されている。
【００３９】
本発明は、このような従来の課題を解決するものであり、屋外側の二酸化炭素濃度により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００４０】
また、従来の吸気口では、吸気口の屋外側の一酸化炭素濃度を検出し、所定の一酸化炭素濃度で回転型電動シャッターが開または閉状態になり、開または閉状態に連動して換気装置が運転または停止することが要求されている。
【００４１】
本発明は、このような従来の課題を解決するものであり、屋外側の一酸化炭素濃度により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００４２】
また、従来の吸気口では、吸気口の屋外側のホルムアルデヒドを検出し、所定のホルムアルデヒドの量で回転型電動シャッターが開または閉状態になり、開または閉状態に連動して換気装置が運転または停止することが要求されている。
【００４３】
本発明は、このような従来の課題を解決するものであり、屋外側のホルムアルデヒドの量により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００４４】
また、従来の吸気口では、吸気口の屋外側の粉塵量を検出し、所定の粉塵量で回転型電動シャッターが開または閉状態になり、開または閉状態に連動して換気装置が運転または停止することが要求されている。
【００４５】
本発明は、このような従来の課題を解決するものであり、屋外側の粉塵量により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００４６】
また、従来の吸気口では、吸気口の屋外側の湿度を検出し、所定の湿度で回転型電動シャッターが開または閉状態になり、開または閉状態に連動して換気装置が運転または停止することが要求されている。
【００４７】
本発明は、このような従来の課題を解決するものであり、屋外側の湿度により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【００４８】
また、従来の吸気口では、吸気口の屋外側の可燃性ガスを検出し、所定の可燃性ガス濃度で回転型電動シャッターが開または閉状態になり、開または閉状態に連動して換気装置が運転または停止することが要求されている。
【００４９】
本発明は、このような従来の課題を解決するものであり、屋外側の可燃性ガス濃度により吸気口の開閉を行うと共に、吸気口に設けた端子台から、吸気口が開状態のときは、商用電源を出力し、吸気口が閉状態のときは、商用電源を遮断することができる吸気口を提供することを目的とする。
【課題を解決するための手段】
【００５０】
本発明の吸気口は上記目的を達成するために、回転型電動シャッターの固定された扇状の固定型ルーバー羽根と回転することにより外気を取り入れることができる扇状の回転型ルーバー羽根とその回転動作を行うステッピングモーターと前記ステッピングモーターを制御する制御手段を設けたものである。
【００５１】
この手段により外風の影響を受けずに前記ステッピングモーターで前記回転型ルーバー羽根の回転軸を右回転または左回転することにより前記回転型電動シャッターの開閉を行うことができる。
【００５２】
また、本発明は、回転型電動シャッター内の羽根を開または閉状態に対応して電源が供給される端子台を設け、前記回転型電動シャッター内の羽根を右回転することにより開状態となり、そのときに端子台に電源を供給し、前記回転型電動シャッター内の羽根が左回転することにより閉状態となったときは電源を遮断される端子台を備え、前記端子台に換気装置を接続することにより前記回転型電動シャッターの開または閉に連動させて前記換気装置を制御することを特徴としたものである。
【００５３】
この手段により、吸気口に設けた端子台に換気装置を接続することにより回転型電動シャッター内の羽根の回転軸を右回転または左回転することにより前記回転型電動シャッターの開閉状態に連動した換気装置を制御することができる。
【００５４】
また、本発明は、回転型電動シャッターの室内と屋外との空気の圧力差を検出できる位置に差圧センサーを設け、差圧センサーの値により自動的に前記回転型電動シャッター内の羽根を開または閉状態にすることを特徴としたものである。
【００５５】
この手段により、回転型電動シャッターの開閉を外部からの信号または電源供給で開閉することなく、自動的に回転型電動シャッター内の羽根の回転軸を右回転または左回転することにより前記回転型電動シャッターの開閉状態にすることができる。
【００５６】
また、本発明は、吸気口の室内側に室内温度センサーを設け、室内温度により回転型電動シャッター内の羽根を開または閉にすると共に、回転型電動シャッターの開または閉状態により、吸気口に設けた端子台から、商用電源を供給または遮断するものである。
【００５７】
この手段により、室内の温度が所定の温度以上になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００５８】
また、本発明は、吸気口の室内側に人感センサーを設け、室内に人が在室しているかを検出し、在室のときは回転型電動シャッターを右回転することにより開状態にし、不在のときは左回転することにより閉状態にすると共に、回転型電動シャッターの開閉状態により、吸気口に設けた端子台から、商用電源を供給または遮断するものである。
【００５９】
この手段により、室内に人が在室していることを検出すると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００６０】
また、本発明は、吸気口の室内側に室内アンモニアセンサーを設け、室内のアンモニア濃度により回転型電動シャッターを開または閉にすると共に、回転型電動シャッターの開または閉状態により、吸気口に設けた端子台から、商用電源を供給または遮断するものである。
【００６１】
この手段により、室内のアンモニア濃度が所定の濃度になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００６２】
また、本発明は、吸気口の室内側に室内煙センサーを設け、室内の煙量により回転型電動シャッターを開または閉にすると共に、回転型電動シャッターの開閉状態により、吸気口に設けた端子台から、商用電源を供給または遮断するものである。
【００６３】
この手段により、室内の煙量が所定の量になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００６４】
また、本発明は、吸気口の室内側に室内二酸化炭素センサーを設け、室内の二酸化炭素濃度により回転型電動シャッターを開または閉にすると共に、回転型電動シャッターの開または閉状態により、吸気口に設けた端子台から、商用電源を供給または遮断するものである。
【００６５】
この手段により、室内の二酸化炭素濃度が所定の濃度になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００６６】
また、本発明は、吸気口の室内側に室内一酸化炭素センサーを設け、室内の一酸化炭素濃度により回転型電動シャッターを開または閉にすると共に、回転型電動シャッターの開または閉状態により、吸気口に設けた端子台から、商用電源を供給または遮断するものである。
【００６７】
この手段により、室内の一酸化炭素濃度が所定の濃度になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００６８】
また、本発明は、吸気口の室内側に室内ＶＯＣセンサーを設け、室内のホルムアルデヒドの濃度により回転型電動シャッターを開または閉にすると共に、回転型電動シャッターの開または閉状態により、吸気口に設けた端子台から、商用電源を供給または遮断するものである。
【００６９】
この手段により、室内のホルムアルデヒドの濃度が所定の濃度になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００７０】
また、本発明は、吸気口の室内側に室内紛塵センサーを設け、室内の粉塵量により回転型電動シャッターを開または閉にすると共に、回転型電動シャッターの開閉状態により、吸気口に設けた端子台から、商用電源を供給または遮断するものである。
【００７１】
この手段により、室内の粉塵量が所定の量になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００７２】
また、本発明は、吸気口の室内側に室内湿度センサーを設け、室内の湿度により回転型電動シャッターを開または閉にすると共に、回転型電動シャッターの開閉状態により、吸気口に設けた端子台から、商用電源を供給または遮断するものである。
【００７３】
この手段により、室内の湿度が所定の湿度になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００７４】
また、本発明は、吸気口の室内側に室内可燃性ガスセンサーを設け、室内の可燃性ガス濃度により回転型電動シャッターを開または閉にすると共に、回転型電動シャッターの開閉状態により、吸気口に設けた端子台から、商用電源を供給または遮断するものである。
【００７５】
この手段により、室内の可燃性ガス濃度が所定の濃度になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００７６】
また、本発明は、吸気口の屋外側に屋外温度センサーを設け、屋外温度により回転型電動シャッターを開または閉にすると共に、回転型電動シャッターの開閉状態により、吸気口に設けた端子台から、商用電源を供給または遮断するものである。
【００７７】
この手段により、屋外の温度が所定の温度以下になると、回転型電動シャッター内の羽根を閉にし、吸気口に設けた端子台に換気装置を接続することにより換気装置を停止することができる。
【００７８】
また、本発明は、吸気口の屋外側に屋外アンモニアセンサーを設け、屋外のアンモニア濃度により回転型電動シャッターを開または閉にすると共に、回転型電動シャッターの開または閉状態により、吸気口に設けた端子台から、商用電源を供給または遮断するものである。
【００７９】
この手段により、屋外のアンモニア濃度が所定の濃度になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００８０】
また、本発明は、吸気口の屋外側に屋外煙センサーを設け、屋外の煙量により回転型電動シャッターを開または閉にすると共に、回転型電動シャッターの開閉状態により、吸気口に設けた端子台から、商用電源を供給または遮断するものである。
【００８１】
この手段により、屋外の煙量が所定の量になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００８２】
また、本発明は、吸気口の屋外側に屋外二酸化炭素センサーを設け、屋外の二酸化炭素濃度により回転型電動シャッターを開または閉にすると共に、回転型電動シャッターの開または閉状態により、吸気口に設けた端子台から、商用電源を供給または遮断するものである。
【００８３】
この手段により、屋外の二酸化炭素濃度が所定の濃度になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００８４】
また、本発明は、吸気口の屋外側に屋外一酸化炭素センサーを設け、屋外の一酸化炭素濃度により回転型電動シャッターを開または閉にすると共に、回転型電動シャッターの開または閉状態により、吸気口に設けた端子台から、商用電源を供給または遮断するものである。
【００８５】
この手段により、屋外の一酸化炭素濃度が所定の濃度になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００８６】
また、本発明は、吸気口の屋外側に屋外ＶＯＣセンサーを設け、屋外のホルムアルデヒドの濃度により回転型電動シャッターを開または閉にすると共に、回転型電動シャッターの開または閉状態により、吸気口に設けた端子台から、商用電源を供給または遮断するものである。
【００８７】
この手段により、屋外のホルムアルデヒドの濃度が所定の濃度になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００８８】
また、本発明は、吸気口の屋外側に屋外紛塵センサーを設け、屋外の粉塵の量により回転型電動シャッターを開または閉にすると共に、回転型電動シャッターの開または閉状態により、吸気口に設けた端子台から、商用電源を供給または遮断するものである。
【００８９】
この手段により、屋外の粉塵の量が所定の量になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００９０】
また、本発明は、吸気口の屋外側に屋外湿度センサーを設け、屋外の湿度により回転型電動シャッターを開または閉にすると共に、回転型電動シャッターの開または閉状態により、吸気口に設けた端子台から、商用電源を供給または遮断力するものである。
【００９１】
この手段により、屋外の湿度が所定の湿度になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【００９２】
また、本発明は、吸気口の屋外側に屋外可燃性ガスセンサーを設け、屋外の可燃性ガスの濃度により回転型電動シャッターを開または閉にすると共に、回転型電動シャッターの開または閉状態により、吸気口に設けた端子台から、商用電源を供給または遮断するものである。
【００９３】
この手段により、屋外の可燃性ガスの濃度が所定の濃度になると、回転型電動シャッターを開にし、吸気口に設けた端子台に換気装置を接続することにより回転型電動シャッター内の羽根の回転軸を右回転または左回転することにより前記回転型電動シャッターの開閉状態に連動した換気装置を制御することができる。
【発明の効果】
【００９４】
本発明によれば、固定された扇状の固定型ルーバー羽と回転することにより外気を取り入れることができる扇状の回転型ルーバーとその回転動作を行うステッピングモーターと前記ステッピングモーターを制御する制御手段により、外風に影響することがなく回転型電動シャッターを開閉することができる吸気口を提供できる。
【００９５】
また、本発明によれば、吸気口内に設けた差圧センサーにより、室内と屋外との空気の圧力差を検出することにより回転型電動シャッター内の羽根の回転軸を右回転または左回転することにより前記回転型電動シャッターを開閉することができる吸気口を提供できる。
【００９６】
また、本発明によれば、吸気口内に設けた回転型電動シャッターの開閉状態に合わせて、吸気口内に設けた端子台に商用電源を供給または遮断し他の換気装置等と連動することができる吸気口を提供できる。
【００９７】
また、本発明によれば、吸気口は室内側に室内温度センサーを設け、室内側の温度を検出し、所定の温度で回転型電動シャッターの開または閉すると共に、吸気口内に設けた端子台に商用電源を供給または遮断し他の換気装置等と連動することができる吸気口を提供できる。
【００９８】
また、本発明によれば、吸気口は室内側に室内人感センサーを設け、室内に人が在室しているかまたは不在かを検出し、在室のときは回転型電動シャッターの開にし、不在のときは閉すると共に、吸気口内に設けた端子台に商用電源を供給または遮断し他の換気装置と連動することができる吸気口を提供できる。
【００９９】
また、本発明によれば、吸気口は室内側に室内アンモニアセンサーを設け、室内側のアンモニア濃度を検出し、所定のアンモニア濃度以上になると回転型電動シャッターの開にし、所定のアンモニア濃度以下になると閉すると共に、吸気口内に設けた端子台に商用電源を供給または遮断し他の換気装置と連動することができる吸気口を提供できる。
【０１００】
また、本発明によれば、吸気口は室内側に室内煙センサーを設け、室内側の煙量を検出し、所定の煙量以上になると回転型電動シャッターの開にし、所定の煙量以下になると閉すると共に、吸気口内に設けた端子台に商用電源を供給または遮断し他の換気装置と連動することができる吸気口を提供できる。
【０１０１】
また、本発明によれば、吸気口は室内側に室内二酸化炭素センサーを設け、室内側の二酸化炭素濃度を検出し、所定の二酸化炭素濃度以上になると回転型電動シャッターの開にし、所定の二酸化炭素濃度以下になると閉すると共に、吸気口内に設けた端子台に商用電源を供給または遮断し他の換気装置と連動することができる吸気口を提供できる。
【０１０２】
また、本発明によれば、吸気口は室内側に室内一酸化炭素センサーを設け、室内側の一酸化炭素濃度を検出し、所定の一酸化炭素濃度以上になると回転型電動シャッターの開にし、所定の一酸化炭素濃度以下になると閉すると共に、吸気口内に設けた端子台に商用電源を供給または遮断し他の換気装置と連動することができる吸気口を提供できる。
【０１０３】
また、本発明によれば、吸気口は室内側に室内ＶＯＣセンサーを設け、室内側のホルムアルデヒド濃度を検出し、所定のホルムアルデヒド濃度以上になると回転型電動シャッターの開にし、所定のホルムアルデヒド濃度以下になると閉すると共に、吸気口内に設けた端子台に商用電源を供給または遮断することができる吸気口を提供できる。
【０１０４】
また、本発明によれば、吸気口は室内側に室内紛塵センサーを設け、室内側の粉塵量を検出し、所定の粉塵量以上になると回転型電動シャッターの開にし、所定の粉塵量以下になると閉すると共に、吸気口内に設けた端子台に商用電源を供給または遮断し他の換気装置と連動することができる吸気口を提供できる。
【０１０５】
また、本発明によれば、吸気口は室内側に室内湿度センサーを設け、室内側の湿度を検出し、所定の湿度以上になると回転型電動シャッターの開にし、所定の湿度以下になると閉すると共に、吸気口内に設けた端子台に商用電源を供給または遮断し他の換気装置と連動することができる吸気口を提供できる。
【０１０６】
また、本発明によれば、吸気口は室内側に室内可燃性ガスセンサーを設け、室内側の可燃性ガス濃度を検出し、所定の可燃性ガス濃度以上になると回転型電動シャッターの開にし、所定の可燃性ガス濃度以下になると閉すると共に、吸気口内に設けた端子台に商用電源を供給または遮断し他の換気装置と連動することができる吸気口を提供できる。
【０１０７】
また、本発明によれば、吸気口は屋外側に屋外温度センサーを設け、屋外側の温度を検出し、所定の温度で回転型電動シャッターの開または閉すると共に、吸気口内に設けた端子台に商用電源をＯＮまたはＯＦＦを出力し他の換気装置と連動することができる吸気口を提供できる。
【０１０８】
また、本発明によれば、吸気口は屋外側に屋外アンモニアセンサーを設け、屋外側のアンモニア濃度を検出し、所定のアンモニア濃度以上になると回転型電動シャッターの閉にし、所定のアンモニア濃度以下になると開すると共に、吸気口内に設けた端子台に商用電源を供給または遮断し他の換気装置と連動することができる吸気口を提供できる。
【０１０９】
また、本発明によれば、吸気口は屋外側に屋外煙センサーを設け、屋外側の煙量を検出し、所定の煙量以上になると回転型電動シャッターの閉にし、所定の煙量以下になると開すると共に、吸気口内に設けた端子台に商用電源を供給または遮断し他の換気装置と連動することができる吸気口を提供できる。
【０１１０】
また、本発明によれば、吸気口は屋外側に屋外二酸化炭素センサーを設け、屋外側の二酸化炭素濃度を検出し、所定の二酸化炭素濃度以上になると回転型電動シャッターの閉にし、所定の二酸化炭素濃度以下になると開すると共に、吸気口内に設けた端子台に商用電源を供給または遮断し他の換気装置と連動することができる吸気口を提供できる。
【０１１１】
また、本発明によれば、吸気口は屋外側に屋外一酸化炭素センサーを設け、屋外側の一酸化炭素濃度を検出し、所定の一酸化炭素濃度以上になると回転型電動シャッターの閉にし、所定の一酸化炭素濃度以下になると開すると共に、吸気口内に設けた端子台に商用電源を供給または遮断し他の換気装置と連動することができる吸気口を提供できる。
【０１１２】
また、本発明によれば、吸気口は屋外側に屋外ＶＯＣセンサーを設け、屋外側のホルムアルデヒド濃度を検出し、所定のホルムアルデヒド濃度以上になると回転型電動シャッターの閉にし、所定のホルムアルデヒド濃度以下になると開すると共に、吸気口内に設けた端子台に商用電源を供給または遮断し他の換気装置と連動することができる吸気口を提供できる。
【０１１３】
また、本発明によれば、吸気口は屋外側に屋外紛塵センサーを設け、屋外側の粉塵量を検出し、所定の粉塵量以上になると回転型電動シャッターの閉にし、所定の粉塵量以下になると開すると共に、吸気口内に設けた端子台に商用電源を供給または遮断し他の換気装置と連動することができる吸気口を提供できる。
【０１１４】
また、本発明によれば、吸気口は屋外側に屋外湿度センサーを設け、屋外側の湿度を検出し、所定の湿度以上になると回転型電動シャッターの閉にし、所定の湿度以下になると開すると共に、吸気口内に設けた端子台に商用電源を供給または遮断し他の換気装置と連動することができる吸気口を提供できる。
【０１１５】
また、本発明によれば、吸気口は屋内側に屋外可燃性ガスセンサーを設け、屋内側の可燃性ガス濃度を検出し、所定の可燃性ガス濃度以上になると回転型電動シャッターの閉にし、所定の可燃性ガス濃度以下になると開すると共に、吸気口内に設けた端子台に商用電源を供給または遮断し他の換気装置と連動することができる吸気口を提供できる。
【発明を実施するための最良の形態】
【０１１６】
本発明の請求項１記載の発明は、固定された扇状の固定型ルーバー羽と回転することにより外気を取り入れることができる扇状の回転型ルーバーとその回転動作を行うステッピングモーターと前記ステッピングモーターを制御する制御手段を設けることにより外風に影響なく開または閉できる作用を有する。
【０１１７】
また、前記回転型電動シャッターの室内と屋外との空気の圧力差を検出できる位置に差圧センサーを設け、差圧センサーの検出値により自動的に前記回転型電動シャッターを開または閉状態にすることができる作用を有する。
【０１１８】
また、前記回転型電動シャッターの開または閉状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１１９】
また、前記吸気口に室内側の温度を検出できる位置に室内温度センサーを設け、室内温度が所定の温度以上になると回転型電動シャッターを開にし、室内温度が所定の温度以下になると回転型電動シャッターを閉にすると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１２０】
また、前記吸気口に人感センサーを設け、人を検出することにより回転型電動シャッターを開にし、人を非検出すると閉にすると共に、回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１２１】
また、前記吸気口に室内側のアンモニアを検出できる位置に室内アンモニアセンサーを設け、所定のアンモニアの濃度以上になると回転型電動シャッターを開にし、所定のアンモニアの濃度以下になると閉にすると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１２２】
また、前記吸気口に室内側の煙を検出できる位置に室内煙センサーを設け、所定の煙の濃度以上になると回転型電動シャッターを開にし、所定の煙の濃度以下になると閉にすると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１２３】
また、前記吸気口に室内側の二酸化炭素を検出できる位置に室内二酸化炭素センサーを設け、所定の二酸化炭素の濃度以上になると回転型電動シャッターを開にし、所定の二酸化炭素の濃度以下になる閉にすると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１２４】
また、前記吸気口に室内側の一酸化炭素を検出できる位置に室内一酸化炭素センサーを設け、所定の一酸化炭素の濃度以上になると回転型電動シャッターを開にし、所定の一酸化炭素の濃度以下になると閉にすると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１２５】
また、前記吸気口に室内側のホルムアルデヒドを検出できる位置に室内ＶＯＣセンサーを設け、所定のホルムアルデヒドの濃度以上になると回転型電動シャッターを開にし、所定のホルムアルデヒドの濃度以下になると閉にすると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１２６】
また、前記吸気口に室内側の粉塵を検出できる位置に室内粉塵センサーを設け、所定の粉塵以上の濃度になると回転型電動シャッターを開にし、所定の粉塵濃度以下になると閉にすると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１２７】
また、前記吸気口に室内側の湿度を検出できる位置に室内湿度センサーを設け、所定の湿度以上になると回転型電動シャッターを開にし、所定の湿度以下になると閉にすると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１２８】
また、前記吸気口に室内側の可燃性ガスを検出できる位置に室内可燃性ガスセンサーを設け、所定の可燃性ガス濃度以上になると回転型電動シャッターを開にし、所定の可燃性ガス濃度以下になると閉にすると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１２９】
また、前記吸気口に屋外側の温度を検出できる位置に屋外温度センサーを設け、屋外温度が所定の温度以上になると回転型電動シャッターを開閉し、回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１３０】
また、前記吸気口に屋外側のアンモニアを検出できる位置に屋外アンモニアセンサーを設け、屋外のアンモニア濃度が所定のアンモニアの濃度以上になると回転型電動シャッターを閉にし、所定のアンモニアの濃度以下になると開すると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１３１】
また、前記吸気口に屋外側の煙を検出できる位置に煙を検出する屋外煙センサーを設け、屋外の煙濃度が所定の煙濃度以上になると回転型電動シャッターを閉にし、所定の煙濃度以下になると開すると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１３２】
また、前記吸気口に屋外側の二酸化炭素を検出できる位置に屋外二酸化炭素を検出する二酸化炭素センサーを設け、屋外の二酸化炭素濃度が所定の二酸化炭素の濃度以上になると回転型電動シャッターを閉にし、所定の二酸化炭素の濃度以下になると開すると共に回転型電動シャッターの開または閉の状態に対応した端子台を設け、前記回転型電動シャッターの開のときは電源を供給し、前記回転型電動シャッターの閉のときは電源を遮断する端子台を備え前記端子台に換気装置を接続することにより前記回転型電動シャッターの開または閉に伴い前記換気装置を制御することができる作用を有する。
【０１３３】
また、前記吸気口に屋外側の一酸化炭素を検出できる位置に屋外一酸化炭素を検出する一酸化炭素センサーを設け、屋外の一酸化炭素濃度が所定の一酸化炭素濃度以上になると回転型電動シャッターを閉にし、所定の一酸化炭素濃度以下になると開すると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１３４】
また、前記吸気口に屋外側のホルムアルデヒドを検出できる位置にホルムアルデヒドを検出する屋外ＶＯＣセンサーを設け、屋外のホルムアルデヒド濃度が所定のホルムアルデヒドの濃度以上になると回転型電動シャッターを閉にし、所定のホルムアルデヒドの濃度以下になると開すると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１３５】
また、前記吸気口に屋外側の粉塵を検出できる位置に粉塵を検出する屋外粉塵センサーを設け、屋外の粉塵濃度が所定の粉塵以上の濃度になると回転型電動シャッターを閉にし、所定の粉塵濃度以下になると開すると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１３６】
また、前記吸気口に屋外側の湿度を検出できる位置に湿度を検出する屋外湿度センサーを設け、屋外の湿度が所定の湿度以上になると回転型電動シャッターを閉にし、所定の湿度以下になると開すると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１３７】
また、前記吸気口に屋外側の可燃性ガスを検出できる位置に屋外可燃性ガスを検出する可燃性ガスセンサーを設け、屋外の可燃性ガスが所定の可燃性ガス濃度以上になると回転型電動シャッターを閉にし、所定の可燃性ガス濃度以下になると開すると共に回転型電動シャッターの開または閉の状態に対応した端子台を設け、前記回転型電動シャッターの開のときは電源を供給し、前記回転型電動シャッターの閉のときは電源を遮断する端子台を備え、前記端子台に換気装置を接続することにより前記回転型電動シャッターの開または閉に伴い前記換気装置を制御することができる作用を有する。
【０１３８】
以下、図面を参照しながら本発明の実施の形態について説明する。
【０１３９】
（実施の形態１）
図１に示すように、吸気口１の扇状の固定型ルーバー羽根２と回転軸３と一体となった扇状の回転型ルーバー羽根４を組み合わせた回転型電動シャッター５は前記回転型ルーバー羽根４を回転する前記回転軸３にステッピングモーター６が接続され、前記ステッピングモーター６は前記回転型ルーバー羽根４を右回転または左回転を制御することができる制御手段７に接続され、前記制御手段７はＯＮ／ＯＦＦスイッチ８と商用電源９に接続されている。
【０１４０】
上記構成おいて、前記ＯＮ／ＯＦＦスイッチ８をＯＮすると、前記吸気口１内部の前記制御手段７は前記回転型ルーバー羽根４を右回転するように前記ステッピングモーター６にパルス信号を送信し、前記回転型ルーバー羽根４は前記固定型ルーバー羽根２の裏側の重なる位置に停止し、前記回転型ルーバー羽根４が回転することにより外気を吸気する開口部が発生し前記回転型電動シャッターは開状態にすることとなる。前記ＯＮ／ＯＦＦスイッチ８をＯＦＦすると、前記制御手段７は前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止する。
【０１４１】
そして閉状態から開状態に開状態から閉状態にする動作力は、前期回転型ルーバー羽根４を回転させる回転力を使用しており、下面側から屋外の強い風圧を受けても簡単に前記回転型電動シャッター５を開閉状態にすることができる。
【０１４２】
特に、本実施の形態の回転型電動シャッター５の構成は、外風が外壁を伝わって吹き上がってくるような場合に外風の進路を遮ることに有効である。
【０１４３】
また、吸気口を上方向から覆い、下面側を開口した屋外フードとの組み合わせにおいて、顕著に外風を遮ることが可能となる。
【０１４４】
なお、前記制御手段７は、電源トランスやマイクロコンピュータやレギュレーターやトランジスターなどの電気部品から構成されている。
【０１４５】
なお、前記回転型ルーバー羽根４を右回転で回転型電動シャッター５が開状態、また左回転を閉状態で説明したが逆の動作でも同様の効果が得られる。
【０１４６】
（実施の形態２）
実施の形態１と同一部分は同一番号を符し、詳細な説明は省略する。
【０１４７】
図２は、壁面１０１を貫通した穴１０に吸気口１を設置し、前記吸気口１内部には、扇状の前記固定型ルーバー羽根２と前記回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７はＯＮ／ＯＦＦスイッチ８と商用電源９と前記回転型電動シャッター５の室内側と屋外側の空気の圧力差を検出できる位置に設けた差圧センサー１１に接続され、前期ＯＮ／ＯＦＦスイッチ８は換気装置１２接続されている。
【０１４８】
上記構成おいて、初期状態である前記ＯＮ／ＯＦＦスイッチ８がＯＦＦ状態のときは、前記吸気口１内部に設けた前記回転型電動シャッター５は閉状態となり、前記ＯＮ／ＯＦＦスイッチ８がＯＮになると、前記換気装置１２は、前記商用電源９を供給されると運転を開始し室内の空気を排出し、前記吸気口１内部に設けた前記回転型電動シャッター５は閉状態において室内側で前記換気装置１２が排出しているの空気と屋外側の空気の空気圧差を前記差圧センサー１１が検出し、その検出値を前記制御手段７内部に設けたマイクロコンピュータ（図示せず）が判断し、室内側と屋外側の空気の圧力差が発生しているときは、前記制御手段７が前記ステッピングモーター６にパルス信号を送信し、扇状の回転型ルーバー羽根４が右回転し前記回転型電動シャッター５を開状態にすることで、外気を室内に吸気することができ、室内側で前記換気装置１２が停止し、室内側の空気と屋外側の空気の差がなくなったことを前記差圧センサー１１が検出した検出値で前記制御手段７内部に設けたマイクロコンピュータ（図示せず）が判断すると前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止することができる吸気口１が得られる。
【０１４９】
（実施の形態３）
実施の形態１および形態２と同一部分は同一番号を符し、詳細な説明は省略する。
【０１５０】
図３に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３が接続され、前記端子台１３は前記換気装置１２に接続され、前記換気装置１２の電源は、前記制御手段７の内部に設けたリレー１４が電源の供給または遮断により制御される。
【０１５１】
上記構成おいて、他室内の換気システム（図示せず）が運転されると前記換気システム（図示せず）によりが室内の空気を排出され、吸気口１内部で室内の空気と屋外側の空気の差を前記差圧センサー１１が検出した検出値を前記制御手段７内部に設けたマイクロコンピュータ（図示せず）が判断し、室内側と屋外側の空気の圧力差が発生しているときは、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる。また、室内側で前記換気装置１２が停止し、室内側の空気と屋外側の空気の差がなくなったことを前記差圧センサー１１が検出した検出値から前記制御手段７内部に設けたマイクロコンピュータ（図示せず）が判断すると前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４をＯＦＦし、前記端子台１３の前記商用電源９を遮断して、前記換気装置１２が停止することにより外気を室内に吸気することを遮断することができる吸気口１が得られる。
【０１５２】
なお、前記換気装置１２への電源供給は前記リレー１４を使用しＯＮまたはＯＦＦしているが、トライアックやサイリスターやＳＳＲを使用しても同様の効果が得られる。
【０１５３】
なお、前記端子台１３には換気装置１２を接続して説明したが、暖房機器や空気清浄機や加湿器や乾燥機を接続することにより他機種の制御が可能となる。
【０１５４】
（実施の形態４）
実施の形態１および形態２と同一部分は同一番号を符し、詳細な説明は省略する。
【０１５５】
図４に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と室内の温度を検出する室内温度センサー１５が接続され、前記端子台１３は前記換気装置１２に接続され、前記換気装置１２の電源は、前記制御手段７の内部に設けたリレー１４が電源の供給または遮断により制御される。
【０１５６】
上記構成おいて、室内温度を検出する前記室内温度センサー１５が２８℃以上を前記制御手段７内部に設けたマイクロコンピュータ（図示せず）が検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる。また、室内温度を検出する前記室内温度センサー１５が２６℃以下を前記制御手段７内部に設けたマイクロコンピュータ（図示せず）が検出すると、前記制御手段７が前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる吸気口１が得られる。
【０１５７】
なお、一例として室内検出温度を２８℃と２６℃で説明したが、室内の大きさや室内の機密性や換気装置のファンによる風量により異なる。
【０１５８】
（実施の形態５）
実施の形態１および形態２と同一部分は同一番号を符し、詳細な説明は省略する。
【０１５９】
図５に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と室内に人が在室しているかを検出するための人感センサー１６が接続され、前記端子台１３は前記換気装置１２に接続され、前記換気装置１２の電源は、前記制御手段７の内部に設けたリレー１４が電源の供給または遮断により制御される。
【０１６０】
上記構成おいて、室内に人が在室していることを人感センサー１６の出力により、前記制御手段７内部に設けたマイクロコンピュータ。
【０１６１】
室内に人が在室していることを人感センサー１６の出力により、前記制御手段７内部に設けたマイクロコンピュータ（図示せず）が検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる。
【０１６２】
また、人感センサー１６の出力により室内に人がいないことを前記制御手段７内部に設けたマイクロコンピュータ（図示せず）が検出すると、前記制御手段７が前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる吸気口１が得られる。
【０１６３】
なお、マイクロコンピュータ（図示せず）は人がいないことを検出したときに前記換気装置１２を停止したが、室内に人がいないことを検出した後、５分後に前記端子台１３の電源を遮断する制御でも良い。
【０１６４】
（実施の形態６）
実施の形態１および形態２と同一部分は同一番号を符し、詳細な説明は省略する。
【０１６５】
図６に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と室内のアンモニア濃度を検出するための室内アンモニアセンサー１７が接続され、前記端子台１３は前記換気装置１２に接続され、前記換気装置１２の電源は、前記制御手段７の内部に設けたリレー１４が電源の供給または遮断により制御される。
【０１６６】
上記構成おいて、室内のアンモニア濃度を室内アンモニアセンサー１７の出力により、前記制御手段７内部に設けたマイクロコンピュータ（図示せず）が１ｐｐｍ以上の濃度を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる。
【０１６７】
また、室内のアンモニア濃度を室内アンモニアセンサー１７の出力により、前記制御手段７内部に設けたマイクロコンピュータ（図示せず）が０．８ｐｐｍ以下の濃度を検出すると、前記制御手段７内部に設けたマイクロコンピュータ（図示せず）が検出すると、前記制御手段７が前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる吸気口１が得られる。
【０１６８】
なお、室内アンモニアセンサー１７は、室内のアンモニアの量を測定できればよく、一例として電量滴定型のアンモニアセンサーでもよい。
【０１６９】
なお、アンモニア検出濃度を一例としてビル管理法の１ｐｐｍと０．８ｐｐｍとしたが、さまざまな環境により異なった濃度とする。
【０１７０】
（実施の形態７）
実施の形態１および形態２と同一部分は同一番号を符し、詳細な説明は省略する。
【０１７１】
図７に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と室内の煙を検出するための室内煙センサー１８が接続され、前記端子台１３は前記換気装置１２に接続され、前記換気装置１２の電源は、前記制御手段７の内部に設けたリレー１４が電源の供給または遮断により制御される。
【０１７２】
上記構成おいて、室内の煙を室内煙センサー１８の出力により、前記制御手段７内部に設けたマイクロコンピュータ（図示せず）が煙を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる。
【０１７３】
また、室内の煙を室内煙センサー１８の出力により、前記制御手段７内部に設けたマイクロコンピュータ（図示せず）が煙を非検出すると、前記制御手段７内部に設けたマイクロコンピュータ（図示せず）が検出すると、前記制御手段７が前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる吸気口１が得られる。
【０１７４】
なお、室内煙センサー１８は、室内の煙を検出できればよく、一例として赤外線や金属酸化半導体を用いたものなどがある。
【０１７５】
（実施の形態８）
実施の形態１および形態２と同一部分は同一番号を符し、詳細な説明は省略する。
【０１７６】
図８に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と室内の二酸化炭素濃度を検出するための室内二酸化炭素センサー１９が接続され、前記端子台１３は前記換気装置１２に接続され、前記換気装置１２の電源は、前記制御手段７の内部に設けたリレー１４が電源の供給または遮断により制御される。
【０１７７】
上記構成おいて、室内の二酸化炭素濃度を室内二酸化炭素センサー１９の出力により、前記制御手段７内部に設けたマイクロコンピュータ（図示せず）が１０００ｐｐｍ以上の濃度を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる。
【０１７８】
また、室内の二酸化炭素濃度を室内二酸化炭素センサー１９の出力により、前記制御手段７内部に設けたマイクロコンピュータ（図示せず）が９００ｐｐｍ以下の濃度を検出すると、前記制御手段７内部に設けたマイクロコンピュータ（図示せず）が検出すると、前記制御手段７が前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる吸気口１が得られる。
【０１７９】
なお、室内二酸化炭素センサー１９は、室内の二酸化炭素の量を測定できればよく、一例として固体電解質型のＣＯ２センサーでもよい。
【０１８０】
なお、二酸化炭素検出濃度を一例としてビル管理法の１０００ｐｐｍと９００ｐｐｍとしたが、さまざまな環境により異なった濃度とする。
【０１８１】
（実施の形態９）
実施の形態１および形態２と同一部分は同一番号を符し、詳細な説明は省略する。
【０１８２】
図９に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と室内の一酸化炭素濃度を検出するための室内一酸化炭素センサー２０が接続され、前記端子台１３は前記換気装置１２に接続され、前記換気装置１２の電源は、前記制御手段７の内部に設けたリレー１４が電源の供給または遮断により制御される。
【０１８３】
上記構成おいて、室内の一酸化炭素濃度を室内一酸化炭素センサー２０の出力により、前記制御手段７内部に設けたマイクロコンピュータ（図示せず）が１０ｐｐｍ以上の濃度を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる。
【０１８４】
また、室内の一酸化炭素濃度を室内一酸化炭素センサー２０の出力により、前記制御手段７内部に設けたマイクロコンピュータ（図示せず）が９ｐｐｍ以下の濃度を検出すると、前記制御手段７内部に設けたマイクロコンピュータ（図示せず）が検出すると、前記制御手段７が前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる吸気口１が得られる。
【０１８５】
なお、室内一酸化炭素センサー２０は、室内の一酸化炭素の量を測定できればよく、一例として半導体型のＣＯセンサーでもよい。
【０１８６】
なお、一酸化炭素検出濃度を一例としてビル管理法の１０ｐｐｍと９ｐｐｍとしたが、さまざまな環境により異なった濃度とする。
【０１８７】
（実施の形態１０）
実施の形態１および形態２と同一部分は同一番号を符し、詳細な説明は省略する。
【０１８８】
図１０に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と室内のホルムアルデヒド濃度を検出するための室内ＶＯＣセンサー２１が接続され、前記端子台１３は前記換気装置１２に接続され、前記換気装置１２の電源は、前記制御手段７の内部に設けたリレー１４が電源の供給または遮断により制御される。
【０１８９】
上記構成おいて、室内のホルムアルデヒド濃度を室内ＶＯＣセンサー２１の出力により、前記制御手段７内部に設けたマイクロコンピュータ（図示せず）が０．０８ｐｐｍ以上の濃度を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる。
【０１９０】
また、室内のホルムアルデヒド濃度を室内ＶＯＣセンサー２１の出力により、前記制御手段７内部に設けたマイクロコンピュータ（図示せず）が０．０６ｐｐｍ以下の濃度を検出すると、前記制御手段７が前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる吸気口１が得られる。
【０１９１】
なお、室内ＶＯＣセンサー２１は、室内のＶＯＣの量を測定できればよく、一例として降雨分子薄膜型や抵抗変化型のＶＯＣセンサーでもよい。
【０１９２】
なお、ＶＯＣ検出濃度を一例としてビル管理法の０．０８ｐｐｍと０．０６ｐｐｍとしたが、さまざまな環境により異なった濃度とする。
【０１９３】
（実施の形態１１）
実施の形態１および形態２と同一部分は同一番号を符し、詳細な説明は省略する。
【０１９４】
図１１に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と室内の粉塵を検出するための室内粉塵センサー２２が接続され、前記端子台１３は前記換気装置１２に接続され、前記換気装置１２の電源は、前記制御手段７の内部に設けたリレー１４が電源の供給または遮断により制御される。
【０１９５】
上記構成おいて、室内の煙を室内粉塵センサー２２の出力により、前記制御手段７内部に設けたマイクロコンピュータ（図示せず）が煙を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる。
【０１９６】
また、室内の煙を室内粉塵センサー２２の出力により、前記制御手段７内部に設けたマイクロコンピュータ（図示せず）が煙を非検出すると、前記制御手段７内部に設けたマイクロコンピュータ（図示せず）が検出すると、前記制御手段７が前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる吸気口１が得られる。
【０１９７】
（実施の形態１２）
実施の形態１および形態２と同一部分は同一番号を符し、詳細な説明は省略する。
【０１９８】
図１２に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と室内の湿度を検出するための室内湿度センサー２３が接続され、前記端子台１３は前記換気装置１２に接続され、前記換気装置１２の電源は、前記制御手段７の内部に設けたリレー１４が電源の供給または遮断により制御される。
【０１９９】
上記構成おいて、室内の湿度を室内湿度センサー２３の出力により、前記制御手段７内部に設けたマイクロコンピュータ（図示せず）が５５％以上を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる。
【０２００】
また、室内の湿度を室内湿度センサー２３の出力により、前記制御手段７内部に設けたマイクロコンピュータ（図示せず）が４５％以下を検出すると、前記制御手段７が前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる吸気口１が得られる。
【０２０１】
なお、室内湿度センサー２３は、室内の湿度を検出できればよく、一例として電気容量式湿度センサーを用いて室内の湿度を検出する。
【０２０２】
なお、検出湿度の５５％と４５％は一例であり、室内の大きさや地域環境により異なるものである。
【０２０３】
（実施の形態１３）
実施の形態１および形態２と同一部分は同一番号を符し、詳細な説明は省略する。
【０２０４】
図１３に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と室内の可燃性ガスを検出するための室内可燃性ガスセンサー２４が接続され、前記端子台１３は前記換気装置１２に接続され、前記換気装置１２の電源は、前記制御手段７の内部に設けたリレー１４が電源の供給または遮断により制御される。
【０２０５】
上記構成おいて、室内の可燃性ガスを室内可燃性ガスセンサー２４の出力により、前記制御手段７内部に設けたマイクロコンピュータ（図示せず）が２０％以上の濃度を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる。
【０２０６】
また、室内の可燃性ガスを室内可燃性ガスセンサー２４の出力により、前記制御手段７内部に設けたマイクロコンピュータ（図示せず）が１５％以下の濃度を検出すると、前記制御手段７が前記回転型ルーバー羽根４を左回転するように前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる吸気口１が得られる。
【０２０７】
なお、可燃性ガス濃度の２０％と１５％は一例であり、室内の大きさや地域環境により異なるものである。
【０２０８】
（実施の形態１４）
実施の形態１および形態２と同一部分は同一番号を符し、詳細な説明は省略する。
【０２０９】
図１４に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と屋外温度を検出するための屋外温度センサー２５が接続され、前記端子台１３は前記換気装置１２に接続され、前記換気装置１２の電源は、前記制御手段７の内部に設けたリレー１４が電源の供給または遮断により制御される。
【０２１０】
上記構成おいて、屋外温度を検出する前記屋外温度センサー２５が２８℃以上を前記制御手段７内部に設けたマイクロコンピュータ（図示せず）が検出すると、前記制御手段７が前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる。
【０２１１】
また、室内温度を検出する前記室内温度センサー１５が２６℃以下を前記制御手段７内部に設けたマイクロコンピュータ（図示せず）が検出すると、前記制御手段７が前記回転型ルーバー羽根４を左回転するようにステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる吸気口１が得られる。
【０２１２】
なお、一例として室内検出温度を２８℃と２６℃で説明したが、屋外の環境により異なる。
【０２１３】
（実施の形態１５）
実施の形態１および形態２と同一部分は同一番号を符し、詳細な説明は省略する。
【０２１４】
図１５に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と屋外のアンモニア濃度を検出するための屋外アンモニアセンサー２６が接続され、前記端子台１３は前記換気装置１２に接続され、前記換気装置１２の電源は、前記制御手段７の内部に設けたリレー１４が電源の供給または遮断により制御される。
【０２１５】
上記構成おいて、屋外のアンモニア濃度を屋外アンモニアセンサー２６が１ｐｐｍ以上の濃度を前記制御手段７内部に設けたマイクロコンピュータ（図示せず）が検出すると、前記制御手段７が前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる。
【０２１６】
また、屋外のアンモニア濃度を屋外アンモニアセンサー２６が０．８ｐｐｍ以下の濃度を前記制御手段７内部に設けたマイクロコンピュータ（図示せず）が検出すると、前記制御手段７が前記回転型ルーバー羽根４を左回転するようにステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる吸気口１が得られる。
【０２１７】
なお、屋外アンモニアセンサー２６は、屋外のアンモニアの量を測定できればよく、一例として電量滴定型のアンモニアセンサーでもよい。
【０２１８】
なお、アンモニア検出濃度を一例として１ｐｐｍとしたが、さまざまな環境により異なった濃度とする。
【０２１９】
（実施の形態１６）
実施の形態１および形態２と同一部分は同一番号を符し、詳細な説明は省略する。
【０２２０】
図１６に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と屋外の煙を検出するための屋外煙センサー２７が接続され、前記端子台１３は前記換気装置１２に接続され、前記換気装置１２の電源は、前記制御手段７の内部に設けたリレー１４が電源の供給または遮断により制御される。
【０２２１】
上記構成おいて、屋外の煙を屋外煙センサー２７の出力により、前記制御手段７内部に設けたマイクロコンピュータ（図示せず）が検出すると、前記制御手段７が前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる。
【０２２２】
また、屋外の煙を屋外煙センサー２７の出力により、前記制御手段７内部に設けたマイクロコンピュータ（図示せず）が煙を非検出すると前記制御手段７が前記回転型ルーバー羽根４を左回転するようにステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる吸気口１が得られる。
【０２２３】
なお、屋外煙センサー２７は、屋外の煙を検出できればよく、一例として赤外線や金属酸化半導体を用いたものなどがある。
【０２２４】
（実施の形態１７）
実施の形態１および形態２と同一部分は同一番号を符し、詳細な説明は省略する。
【０２２５】
図１７に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と屋外の二酸化炭素濃度を検出するための屋外二酸化炭素センサー２８が接続され、前記端子台１３は前記換気装置１２に接続され、前記換気装置１２の電源は、前記制御手段７の内部に設けたリレー１４が電源の供給または遮断により制御される。
【０２２６】
上記構成おいて、屋外の二酸化炭素濃度を屋外二酸化炭素センサー２８の出力により、前記制御手段７内部に設けたマイクロコンピュータ（図示せず）が１０００ｐｐｍ以上の濃度を検出すると、前記制御手段７が前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる。
【０２２７】
また、屋外の二酸化炭素濃度を屋外二酸化炭素センサー２８の出力により、前記制御手段７内部に設けたマイクロコンピュータ（図示せず）が９００ｐｐｍ以下の濃度を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる吸気口１が得られる。
【０２２８】
なお、二酸化炭素検出濃度を一例として１０００ｐｐｍと９００ｐｐｍとしたが、さまざまな環境により異なった濃度とする。
【０２２９】
（実施の形態１８）
実施の形態１および形態２と同一部分は同一番号を符し、詳細な説明は省略する。
【０２３０】
図１８に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と屋外の一酸化炭素濃度を検出するための屋外一酸化炭素センサー２９が接続され、前記端子台１３は前記換気装置１２に接続され、前記換気装置１２の電源は、前記制御手段７の内部に設けたリレー１４が電源の供給または遮断により制御される。
【０２３１】
上記構成おいて、屋外の一酸化炭素濃度を屋外一酸化炭素センサー２９の出力により、前記制御手段７内部に設けたマイクロコンピュータ（図示せず）が１０ｐｐｍ以上の濃度を検出すると、前記制御手段７が前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる。
【０２３２】
また、屋外の一酸化炭素濃度を屋外一酸化炭素センサー２９の出力により、前記制御手段７内部に設けたマイクロコンピュータ（図示せず）が９ｐｐｍ以下の濃度を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる吸気口１が得られる。
【０２３３】
なお、屋外一酸化炭素センサー２９は、屋外の一酸化炭素の量を測定できればよく、一例として半導体型のＣＯセンサーでもよい。
【０２３４】
なお、一酸化炭素検出濃度を一例として１０ｐｐｍと９ｐｐｍとしたが、さまざまな環境により異なった濃度とする。
【０２３５】
（実施の形態１９）
実施の形態１および形態２と同一部分は同一番号を符し、詳細な説明は省略する。
【０２３６】
図１９に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と屋外のホルムアルデヒド濃度を検出するための屋外ＶＯＣセンサー３０が接続され、前記端子台１３は前記換気装置１２に接続され、前記換気装置１２の電源は、前記制御手段７の内部に設けたリレー１４が電源の供給または遮断により制御される。
【０２３７】
上記構成おいて、屋外のホルムアルデヒド濃度を屋外ＶＯＣセンサー３０の出力により、前記制御手段７内部に設けたマイクロコンピュータ（図示せず）が０．０８ｐｐｍ以上の濃度を検出すると、前記制御手段７が前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる。
【０２３８】
また、屋外のホルムアルデヒド濃度を屋外ＶＯＣセンサー３０の出力により、前記制御手段７内部に設けたマイクロコンピュータ（図示せず）が０．０６ｐｐｍ以下の濃度を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる吸気口１が得られる。
【０２３９】
なお、屋外ＶＯＣセンサー３０は、室内のＶＯＣの量を測定できればよく、一例として降雨分子薄膜型や抵抗変化型のＶＯＣセンサーでもよい。
【０２４０】
なお、ＶＯＣ検出濃度を一例として０．０８ｐｐｍと０．０６ｐｐｍとしたが、さまざまな環境により異なった濃度とする。
【０２４１】
（実施の形態２０）
実施の形態１および形態２と同一部分は同一番号を符し、詳細な説明は省略する。
【０２４２】
図２０に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と屋外の粉塵を検出するための屋外粉塵センサー３１が接続され、前記端子台１３は前記換気装置１２に接続され、前記換気装置１２の電源は、前記制御手段７の内部に設けたリレー１４が電源の供給または遮断により制御される。
【０２４３】
上記構成おいて、屋外粉塵センサー３１の出力により、前記制御手段７内部に設けたマイクロコンピュータ（図示せず）が検出すると、前記制御手段７が前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる。
【０２４４】
また、屋外の煙を屋外粉塵センサー３１の出力により、前記制御手段７内部に設けたマイクロコンピュータ（図示せず）が煙を非検出すると前記制御手段７が前記回転型ルーバー羽根４を左回転するようにステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる吸気口１が得られる。
【０２４５】
（実施の形態２１）
実施の形態１および形態２と同一部分は同一番号を符し、詳細な説明は省略する。
【０２４６】
図２１に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と屋外の湿度を検出するための屋外湿度センサー３２が接続され、前記端子台１３は前記換気装置１２に接続され、前記換気装置１２の電源は、前記制御手段７の内部に設けたリレー１４が電源の供給または遮断により制御される。
【０２４７】
上記構成おいて、屋外の湿度を屋外湿度センサー３２の出力により、前記制御手段７内部に設けたマイクロコンピュータ（図示せず）が５５％以上を検出すると、前記制御手段７が前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる。
【０２４８】
また、屋外の湿度を屋外湿度センサー３２の出力により、前記制御手段７内部に設けたマイクロコンピュータ（図示せず）が４５％以下を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる吸気口１が得られる。
【０２４９】
なお、前記屋外湿度センサー３２は、屋外の湿度を検出できればよく、一例として電気容量式湿度センサーを用いて室内の湿度を検出する。
【０２５０】
なお、検出湿度の５５％と４５％は一例であり、屋外の地域環境により異なるものである。
【０２５１】
（実施の形態２２）
実施の形態１および形態２と同一部分は同一番号を符し、詳細な説明は省略する。
【０２５２】
図２２に示すように、壁面１０１を貫通した穴１０に吸気口１を設置し、前記吸気口１内部には、扇状の前記固定型ルーバー羽根２と回転軸３と一体となった扇状の前記回転型ルーバー羽根４を組み合わせた前期回転型電動シャッター５は前記回転型ルーバー羽根４を回転する前記回転軸３にステッピングモーター６が接続され、前記ステッピングモーター６は前記回転型ルーバー羽根４を右回転または左回転を制御する制御手段７に接続され、前記制御手段７は商用電源９と前記回転型電動シャッター５の室内側と屋外側の空気の圧力差を検出できる位置に前記差圧センサー１１と端子台１３と屋外の可燃性ガスを検出するための屋外可燃性ガスセンサー３３が接続され、前記端子台１３は前記換気装置１２に接続され、前記換気装置１２の電源は、前記制御手段７の内部に設けたリレー１４が電源の供給または遮断により制御される。
【０２５３】
上記構成おいて、屋外の可燃性ガスを屋外可燃性ガスセンサー３３の出力により、前記制御手段７内部に設けたマイクロコンピュータ（図示せず）が２０％以上を検出すると、前記制御手段７が前記ステッピングモーター６にパルス信号を送信し、前記固定型ルーバー羽根２の裏側に停止していた前記回転型ルーバー羽根４は開口部を塞ぐように回転し前記回転型電動シャッター５を閉状態にして外気の吸気を停止し、さらに前記制御手段７の内部に設けた前記リレー１４がＯＦＦし、前記端子台１３の前記商用電源９を遮断して、前記換気装置１２が停止することにより外気を室内に吸気することを遮断することができる。
【０２５４】
また、屋外の可燃性ガスを屋外可燃性ガスセンサー３３の出力により、前記制御手段７内部に設けたマイクロコンピュータ（図示せず）が１５％以下を検出すると、前記制御手段７が前記ステッピングモーター６にパルス信号を送信し、扇状の回転型ルーバー羽根４が右回転し前記回転型電動シャッター５を開状態にすることで、外気を室内に吸気することができ、さらに前記制御手段７の内部に設けた前記リレー１４がＯＮし、前記端子台１３に前記商用電源９が出力され、前記換気装置１２が運転を開始することにより前記換気システム（図示せず）以上の外気を室内に吸気することができる吸気口１が得られる。
【０２５５】
なお、可燃性ガス濃度の２０％と１５％は一例であり、屋外の地域環境により異なるものである。
【産業上の利用可能性】
【０２５６】
回転型電動シャッターの室内と屋外との空気の圧力差を検出できる位置に差圧センサーを設け、差圧センサーによる空気圧の検出により自動的に前記回転型電動シャッターを開または閉状態にすることができる吸気口に適用できる。
【図面の簡単な説明】
【０２５７】
【図１】本発明の実施の形態１の構成図
【図２】同実施の形態２の構成図
【図３】同実施の形態３の構成図
【図４】同実施の形態４の構成図
【図５】同実施の形態５の構成図
【図６】同実施の形態６の構成図
【図７】同実施の形態７の構成図
【図８】同実施の形態８の構成図
【図９】同実施の形態９の構成図
【図１０】同実施の形態１０の構成図
【図１１】同実施の形態１１の構成図
【図１２】同実施の形態１２の構成図
【図１３】同実施の形態１３の構成図
【図１４】同実施の形態１４の構成図
【図１５】同実施の形態１５の構成図
【図１６】同実施の形態１６の構成図
【図１７】同実施の形態１７の構成図
【図１８】同実施の形態１８の構成図
【図１９】同実施の形態１９の構成図
【図２０】同実施の形態２０の構成図
【図２１】同実施の形態２１の構成図
【図２２】同実施の形態２２の構成図
【図２３】従来の換気扇の構成図
【符号の説明】
【０２５８】
１      吸気口
２      固定型ルーバー羽根
３      回転軸
４      回転型ルーバー羽根
５      回転型電動シャッター
６      ステッピングモーター
７      制御手段
８      ＯＮ／ＯＦＦスイッチ
９      商用電源
１０    穴
１１    差圧センサー
１２    換気装置
１３    端子台
１４    リレー
１５    室内温度センサー
１６    人感センサー
１７    室内アンモニアセンサー
１８    室内煙センサー
１９    室内二酸化炭素センサー
２０    室内一酸化炭素センサー
２１    室内ＶＯＣセンサー
２２    室内粉塵センサー
２３    室内湿度センサー
２４    室内可燃性ガスセンサー
２５    屋外温度センサー
２６    屋外アンモニアセンサー
２７    屋外煙センサー
２８    屋外二酸化炭素センサー
２９    屋外一酸化炭素センサー
３０    屋外ＶＯＣセンサー
３１    屋外粉塵センサー
３２    屋外湿度センサー
３３    屋外可燃性ガスセンサー
１０１  壁面
１０２  ダクト
１０３  吸気枠
１０４  開閉羽
１０５  回転軸
１０６  形状記憶合金性コイルスプリング
１０７  開閉ノブ
【図１】
2009168324.tif 000003
【図２】
2009168324.tif 000004
【図３】
2009168324.tif 000005
【図４】
2009168324.tif 000006
【図５】
2009168324.tif 000007
【図６】
2009168324.tif 000008
【図７】
2009168324.tif 000009
【図８】
2009168324.tif 000010
【図９】
2009168324.tif 000011
【図１０】
2009168324.tif 000012
【図１１】
2009168324.tif 000013
【図１２】
2009168324.tif 000014
【図１３】
2009168324.tif 000015
【図１４】
2009168324.tif 000016
【図１５】
2009168324.tif 000017
【図１６】
2009168324.tif 000018
【図１７】
2009168324.tif 000019
【図１８】
2009168324.tif 000020
【図１９】
2009168324.tif 000021
【図２０】
2009168324.tif 000022
【図２１】
2009168324.tif 000023
【図２２】
2009168324.tif 000024
【図２３】
2009168324.tif 000025